(57)【要約】【課題】  本体部材の上部を固定枠の上部に容易に組み付ける。【解決手段】  上部蝶番を、本体部材に組み付けられる第１固定具３６と、固定枠に組み付けられる第２固定具３７とから構成する。本体部材を固定枠に組み付ける場合、下部蝶番を支点にして本体部材を直立させる。第１固定具３６の支軸３９が、ロック部材４２の側壁面４６ｅに沿って移動して、ロック部材４２を図中Ｂ方向に回動させる。これにより、ロック部材４２と軸受け部材４１との間に挿入通路６０が形成される。支軸３９は挿入通路６０に沿って移動し、軸受け部材４１の受け部４１ａに挿入される。これを受けて、ロック部材４２が第１位置に向けて回動し、支軸３９が受け部４１ａとロック部材４２とによって軸支される。【選択図】        図８
2005155215.tif 000002
【特許請求の範囲】
【請求項１】
遊技構成部品が取付けられた本体部材を、遊技場に配設された固定枠に対し回動自在に取り付ける遊技機用蝶番において、
前記遊技機用蝶番を、前記本体部材の上角部に取り付けられる第１の固定具と、前記固定枠の上角部に取り付けられる第２の固定具とから構成し、
前記第１の固定具は、下方向に突出する支軸を備え、
前記第２の固定具は、
前記支軸が挿入される受け部と前記支軸を受け部へと挿入させる挿入口とを備えた軸受け部材と、前記挿入口を閉塞する第１の位置に保持されるとともに、前記支軸の押圧によって前記第１の位置から前記支軸の軸方向と交差する方向に回動し、前記挿入口と連通する挿入経路を形成するロック部材と、前記ロック部材を前記第１の位置に向けて付勢する付勢部材とを備え、
前記本体部材を前記固定枠に組み付ける際に、前記軸受け部材の受け部と前記第１の位置に保持されたロック部材とによって前記支軸を軸支することにより、前記第１の固定具と第２の固定具とを連結するとともに、
前記本体部材を前記固定枠から取り外す際に、前記本体部材を上方向に移動させることによって、前記受け部と、前記第１の位置に保持されたロック部材とによる前記支軸の軸支が解除され、前記第１の固定具と、第２の固定具とが分離することを特徴とする遊技機用蝶番。
【請求項２】
前記ロック部材は、前記軸受け部材に当接して、前記第１の位置に停止させるストッパを備えていることを特徴とする請求項１記載の遊技機用蝶番。
【発明の詳細な説明】
【技術分野】
【０００１】
本発明は、パチンコ機の本体部材を、パチンコ店等の所定の設置場所に組み付けられた固定枠に対し開閉自在に取り付ける遊技機用蝶番に関するものである。
【背景技術】
【０００２】
遊技機の１つであるパチンコ機を、パチンコ店等の遊技場に設置する場合、遊技場に設けられた設置場所にまず固定枠を固定し、遊技盤等の遊技構成部品が取り付けられた本体部材を、遊技機用蝶番を用いて固定枠に組み付けることが一般的である。この遊技機用蝶番は、例えば２つの蝶番が用いられ、一方が上部に取り付けられる上部蝶番と、他方が下部に取り付けられる下部蝶番とから構成される。
【０００３】
例えば下部蝶番は、軸穴及び支軸からなる簡易な蝶番から構成し、その一方を本体部材に、他方を固定枠に取り付けることが多い。例えば、軸穴を本体部材に、支軸を固定枠に設ける場合には、支軸を上方に突出させるように設ける。このような構成とすることで、支軸を軸穴に挿通させるだけで、本体部材の下部が固定枠に軸着されるので、作業性が容易なものとなる。
【０００４】
一方、上部蝶番は、本体部材に支軸を設け、この支軸を本体部材の上部から下方へ突出させるように形成することが多い。この場合、固定枠に支軸を挿入させる溝を設け、例えば支軸を固定枠のやや上方から溝に挿入させる。このとき、支軸が溝から脱落しないようにバネ付勢されたロック部材を前記溝内に設け、支軸を溝に挿入する時に、支軸によってロック部材を初期位置から支軸の軸方向（垂直方向）に退避させるような構成が考案されている。この場合、ロック部材に弾性を持たせることで、支軸が溝の端部まで挿入されると、ロック部材が初期位置に復帰して、溝とロック部材とによって支軸が軸支される。これによって、本体部材上部が固定枠に容易に軸着されることになる。このような構成によれば、本体部材を上方に移動させることで、溝及びロック部材による支軸の軸支を解除することができるので、簡単に本体部材を固定枠から取り外すことができる。
【発明の開示】
【発明が解決しようとする課題】
【０００５】
しかしながら、上記の構成の場合、ロック部材の弾性のみによって初期位置に復帰させる必要があり、経時変化によってロック部材の弾性力が変化（劣化）するため、溝に挿入された支軸を確実に軸支することが難しいという問題がある。この問題を解決するために、ロック部材の弾性力を強くするということも考えられるが、ロック部材の弾性力を強くすることで支軸を溝に挿入させにくくなり、作業性が悪くなるという新たな問題が生じてしまう。
【０００６】
本発明は、上記従来技術の問題を解決するためになされたものであり、本体部材の上部を固定枠の上部に容易に嵌合して組み付けることができるようにした遊技機用蝶番を提供することを目的とする。
【課題を解決するための手段】
【０００７】
本発明の遊技機用蝶番は、遊技構成部品が取付けられた本体部材を、遊技場に配設された固定枠に対し回動自在に取り付ける遊技機用蝶番であり、前記遊技機用蝶番を、前記本体部材の上角部に取り付けられる第１の固定具と、前記固定枠の上角部に取り付けられる第２の固定具とから構成し、前記第１の固定具は、下方向に突出する支軸を備え、前記第２の固定具は、前記支軸が挿入される受け部と前記支軸を受け部へと挿入させる挿入口とを備えた軸受け部材と、前記挿入口を閉塞する第１の位置に保持されるとともに、前記支軸の押圧によって前記第１の位置から前記支軸の軸方向と交差する方向に回動し、前記挿入口と連通する挿入経路を形成するロック部材と、前記ロック部材を前記第１の位置に向けて付勢する付勢部材とを備え、前記本体部材を前記固定枠に組み付ける際に、前記軸受け部材の受け部と前記第１の位置に保持されたロック部材とによって前記支軸を軸支することにより、前記第１の固定具と第２の固定具とを連結するとともに、前記本体部材を前記固定枠から取り外す際に、前記本体部材を上方向に移動させることによって、前記受け部と、前記第１の位置に保持されたロック部材とによる前記支軸の軸支が解除され、前記第１の固定具と、第２の固定具とが分離することを特徴とする。
【０００８】
また、前記ロック部材は、前記軸受け部材に当接して、前記第１の位置に停止させるストッパを備えていることが好ましい。
【発明の効果】
【０００９】
本発明の遊技機用蝶番は、遊技構成部品が取付けられた本体部材を、遊技場に配設された固定枠に対し回動自在に取り付ける遊技機用蝶番であり、前記遊技機用蝶番を、前記本体部材の上角部に取り付けられる第１の固定具と、前記固定枠の上角部に取り付けられる第２の固定具とから構成し、前記第１の固定具は、下方向に突出する支軸を備え、前記第２の固定具は、前記支軸が挿入される受け部と前記支軸を受け部へと挿入させる挿入口とを備えた軸受け部材と、前記挿入口を閉塞する第１の位置に保持されるとともに、前記支軸の押圧によって前記第１の位置から前記支軸の軸方向と交差する方向に回動し、前記挿入口と連通する挿入経路を形成するロック部材と、前記ロック部材を前記第１の位置に向けて付勢する付勢部材とを備え、前記本体部材を前記固定枠に組み付ける際に、前記軸受け部材の受け部と前記第１の位置に保持されたロック部材とによって前記支軸を軸支することにより、前記第１の固定具と第２の固定具とを連結するとともに、前記本体部材を前記固定枠から取り外す際に、前記本体部材を上方向に移動させることによって、前記受け部と、前記第１の位置に保持されたロック部材とによる前記支軸の軸支が解除され、前記第１の固定具と、第２の固定具とが分離するから、本体部材を取り付ける方向と、ロック部材の回動方向が一致するので、本体部材の取付が容易なものとなる。また、ロック部材を支軸と交差する方向に回動させることで、ロック部材を支軸の軸方向に回動させる場合に比べて、小型化することができる。
【００１０】
また、前記ロック部材は、前記軸受け部材に当接して、前記第１の位置に停止させるストッパを備えているから、ロック部材を第１の位置に付勢する付勢部材の付勢力を大きくすることで、確実にロック部材が第１の位置に保持させることができ、支軸の受け部からの脱落を、防止することができる。
【発明を実施するための最良の形態】
【００１１】
図１に示すように、パチンコ機２は、基体となる本体部材３に、上部扉４及び下部扉５からなる２枚の前面扉６が本体部材３に対して回動自在となるように、図示しないヒンジ部を介して組み付けられる。上部扉４の中央には開口４ａが設けられており、この開口４ａは上部扉４の裏側に組み付けられるガラス７等の透光性を有する部材により遮蔽される。上部扉４が閉じている状態では、遊技の際に遊技領域２１（図２参照）を流下する遊技球や、遊技領域２１に設けられた構造物は、上記開口４ａを遮蔽するガラス７を介して視認される。
【００１２】
下部扉５には、供給皿１０、操作ハンドル１１が設けられる。供給皿１０には、遊技を開始する際に遊技球が供給される他に、遊技領域２１を流下する遊技球が、遊技領域２１に設けられた入賞口のいずれかに入賞したことを受けて払い出される賞球としての遊技球が受容される。操作ハンドル１１は、遊技を行う際に操作され、この操作ハンドル１１の操作を受けて内部に設けられた打出し用ボリューム（図示せず）の出力値が変化することによって、発射装置１５の打ち出し強さが変化する。なお、操作ハンドル１１を操作しない場合には、操作ハンドル１１は、発射装置１５における遊技球の打ち出しを行わない初期位置に位置する。なお、符号１３は払出し口であり、この払出し口１３を介して、賞球としての遊技球が払い出される。
【００１３】
図２に示すように、上部扉４を開けると、ガイドレール２０等によって囲まれた遊技領域２１が露呈される。この遊技領域２１には、図示しない障害釘や風車の他に、通過チャッカー２２、始動入賞口を備えたスタートチャッカー２３、通常入賞口を備えた入賞チャッカー２４等の構造物が設けられる。このうち、スタートチャッカー２３には、電動チューリップ２５と呼ばれる開閉式の可動装置が設けられる。この遊技領域２１には、アタッカ２６と呼ばれる開閉式の可動装置が設けられ、このアタッカ２６が開放されると、大入賞口が露呈される。なお、遊技球は、上記障害釘や風車に弾かれるか、センター役物２７の側壁面等に弾かれて遊技領域２１を流下し、上記入賞口のいずれかに入賞するか、アウト口２８によって回収される。なお、これら構造物については、周知であるため、ここではその詳細を省略する。
【００１４】
図３に示すように、固定枠３０は、角筒形状から構成されている。この固定枠３０は、遊技場の設置箇所に固定されるものである。上記構成のパチンコ機２は、この固定枠３０に後述する上部蝶番３５及び下部蝶番５５を介して取り付けられる。なお、本体部材３を固定枠３０に組み付けると、上部蝶番３５の支軸３９と、下部蝶番５５の支軸５７ａとが同軸となる。これら上部蝶番３５及び下部蝶番５５は、それぞれ分離可能となっている。以下では、上部蝶番３５、下部蝶番５５において本体部材３に組み付けられる部分を第１の固定具、固定枠３０に組み付けられる部分を第２の固定具として説明する。
【００１５】
図４に示すように、上部蝶番３５は、本体部材３の上角部に組み付けられる第１の固定具３６と、固定枠３０の上角部に組み付けられる第２の固定具３７とを備えている。第１の固定具３６は、本体部材３の背面側に組み付ける組付け部３６ａと、この組付け部３６ａに対して直角に折り曲げられた保持部３６ｂとから構成される。この保持部３６ｂには、支軸３９が例えばリベット止め等によって、その先端が下方に突出するように設けられる。
【００１６】
図５に示すように、第２の固定具３７は、ベース部材４０、軸受け部材４１、ロック部材４２、トーションバネ（付勢部材）４３が組み付けられている。軸受け部材４１は、その略中央が切り欠かれた形状となっている。この軸受け部材４１の切り欠かれた部分が、上述した支軸３９を軸支する受け部４１ａとなる。また、符号４１ｂに示す部分が、支軸３９を受け部４１ａに挿入させるための挿入口となる。この軸受け部材４１は、ねじ４４等によってベース部材４０に組み付けられる。なお、符号４１ｃは、後述するロック部材４２のストッパ面４２ｄが当接される側壁面である。
【００１７】
ロック部材４２は、トーションバネ４３の付勢力によって軸受け部材４１の挿入口４１ｂを閉塞する第１位置（図７参照）に保持される。このロック部材４２は、本体部材３を固定枠３０に組み付ける際に、固定枠３０の中心側から外側に向けて（図４に示す矢印Ｘ方向に）移動する支軸３９に押圧されて第１位置からトーションバネ４３の付勢に抗して支軸３９の軸方向（垂直方向）と交差する方向（水平方向）に回動する。このロック部材４２の回動によって、前記軸受け部材４１とロック部材４２との間に前記支軸３９の挿入経路６０（図８参照）が形成される。
【００１８】
このロック部材４２の上面には窪み４２ａが設けられ、この窪み４２ａにトーションバネ４３が収納される。また、窪み４２ａには開口４２ｂが設けられており、ベース部材４０に設けられたピン４５が挿通される。ロック部材４２の底面にはガイド溝４２ｃが設けられ、ロック部材４２をベース部材４０に組み付けると、ベース部材４０の上面に、且つ上方に突出したピン４６が、このガイド溝４２ｃ内に入り込む。このガイド溝４２ｃはロック部材４２の回動を一定範囲に制限しながらガイドするためのものであり、ロック部材４２の回動方向に沿った略弓形の長溝に形成されている。このロック部材４２の側壁面には、前記軸受け部材４１に当接し、ロック部材４２の回動を防止するストッパ面（ストッパ）４２ｄが設けられる。なお、符号４２ｅは、軸受け部材４１の受け部４１ａに支軸３９を挿入させる際に、支軸３９が摺接される摺接面である。
【００１９】
トーションバネ４３は、ロック部材４２の窪み４２ａに収納され、その一端が、窪み４２ａの側壁面に当接している。また、その他端は、ベース部材４０に設けられた係止穴４０ａに挿通される。これによって、ロック部材４２が第１位置に向けて付勢される。なお、ピン４５には、ロック部材４２、トーションバネ４３、ワッシャー４７の順で組み付けられた後に、ピン４５に設けられた溝４５ａにｅリング４９が嵌め込まれることによって、上記部材がベース部材４０に固定される。
【００２０】
図６に示すように、下部蝶番５５は、本体部材３の下角部に組み付けられる第１固定具５６と、固定枠３０の下角部に設けられる第２固定具５７とから構成される。第１固定具５６は軸穴５６ａを、第２固定具５７は上方に突出するように設けられた支軸５７ａを、それぞれ備えている。
【００２１】
次に、本実施形態の作用を説明する。固定枠３０を製造した後に、固定枠３０の上角部に、上部蝶番３５の第２固定具３７を、固定枠３０の下部に下部蝶番５５の第２固定具５７をそれぞれ組み付ける。なお、上部蝶番３５の第２固定具３７は、軸受け部材４１及びロック部材４２が組み付けられた状態で固定枠３０の上角部に組み付けられる。また、本体部材３に、遊技盤ユニットや、上部扉４及び下部扉５を組み込んでパチンコ機を製造する。この際、本体部材３の上角部に上部蝶番３５の第１固定具３６、本体部材３の下角部に下部蝶番５５の第１固定具５６をそれぞれ組み付ける。
【００２２】
遊技場に新しくパチンコ機２を設置する場合、遊技場の設置箇所に上記固定枠３０を固定する。そして、上記パチンコ機２を固定枠３０に組み付ける。まず、パチンコ機２を傾けて、下部蝶番５５の第１固定具５６に設けられた軸穴５６ａに、固定枠３０に設けられた第２固定具５７の支軸５７ａを挿入する（図６参照）。これにより、本体部材３の下部が軸支される。
【００２３】
その後、本体部材３の重量を預けたまま、下部蝶番５５を支点として、上部蝶番３５の第１固定具３６を、固定枠３０の中心側から外側に向けて（図７中Ａ方向に）移動させ、固定枠３０の上角部に設けられた第２固定具３７に近づける。そして、本体部材３が直立してくると、第１固定具３６の支軸３９がベース部材４０に組み付けられたロック部材４２に当接する。支軸３９がロック部材４２に当接した後も、図７中Ａ方向に移動させると、ロック部材４２の摺接面４２ｅに沿って支軸３９が移動する。そして、支軸３９が図７中二点鎖線まで移動すると、ロック部材４２がトーションバネ４３の付勢に抗して図中Ｂ方向に回転する。
【００２４】
図８に示すように、ロック部材４２の回転によって、ロック部材４２と軸受け部材４１との間に挿入経路６０が形成され、この挿入経路６０の一端と軸受け部材４１の挿入口４１ｂとが連通される。本体部材３は、図７中Ａ方向に移動しているから、支軸３９は挿入経路６０に沿って図８中矢印Ｃ方向に移動し、支軸３９が軸受け部材４１の挿入口４１ｂから受け部４１ａに挿入される。
【００２５】
図９に示すように、支軸３９が軸受け部材４１の受け部４１ａに挿入されると、ロック部材４２がトーションバネ４３の付勢によって第１位置に向けて（図９中Ｄ方向に）回転する。なお、ロック部材４２が第１位置まで移動すると、ロック部材４２のストッパ面４２ｄが軸受け部材４１の側壁面４１ｃに当接し、第１位置でロック部材４２が停止する。これにより、ロック部材４２の摺接面４２ｅと軸受け部材４２の側壁面とによって形成された挿入通路６０が無くなり、挿入口４１ｂがロック部材４２の側壁面４２ｆによって閉塞される。これを受けて、支軸３９がロック部材４２の側壁面４２ｆと、軸受け部材４１の受け部４１ａの側壁面によって軸支されることになる。
【００２６】
パチンコ機２を、上部蝶番３５の支軸３９、下部蝶番５５の支軸５７ａを回動中心として図中Ｅ方向に回動させると、図示しないロック機構によって本体部材３が固定枠３０に固定される。このように、パチンコ機２を固定枠３０に組み付ける際には、下部蝶番５５の第１固定具５６と第２固定具５７とを連結した後に、上部蝶番３５の第１固定具３６を水平方向に移動させるだけで、第２固定具３７と連結させることができ、容易に固定枠３０にパチンコ機２を組み付けることができる。
【００２７】
一方、新しい機種となるパチンコ機との入れ替え作業を行う場合には、まず、図示しないロック機構を解除して、パチンコ機２を図１０中Ｆ方向に回動させる。そして、パチンコ機２を上方に（図１０中Ｇ方向に）持ち上げる。図１１及び図１２に示すように、パチンコ機２を持ち上げると、上部蝶番３６の支軸３９が軸受け部材４１の受け部４１ａから外れる。その後、パチンコ機２を固定枠３０の中心方向に（図１２中Ｈ方向）に移動させる。これにより、上部蝶番３５が第１固定具３６と第２固定具３７とに分離される。一方、下部蝶番５５は、パチンコ機２を持ち上げることによって、第２固定具５７の支軸５７ａから第１固定具５６の軸穴５６ａが外れ、第１固定具５６と第２固定具５７とに分離される。これによって、パチンコ機２を持ち上げた後にずらすだけで、容易に設置されたパチンコ機２を固定枠３０から取り外すことが可能となる。そして、新しい機種となるパチンコ機を上記方法で固定枠３０に組み付けることで、パチンコ機２の機種替えを容易に行うことができる。
【００２８】
本実施形態では、パチンコ機の上部を押し込む方向に（固定枠の中心側から外側に向けて）移動させることで、第１固定具と第２固定具とを連結させるようにしたが、これに限定する必要はなく、例えば、パチンコ機の上部を引き込む方向（固定枠の外側から中心側）に移動させるようにしても良い。図１３に示すように、上部蝶番７０を、第１固定具７１と、第２固定具７２とから構成する。この場合、第１固定具７１は、本実施例と同様の構成となっており、支軸７３を備えている。また、第２固定具７２には、本実施形態と同様に、ロック部材７５、軸受け部材７６がベース部材７７に組み付けられ、ロック部材７５がトーションバネ７８の付勢によって受け部７６ａを閉塞する初期位置（第１の位置）に保持されている。
【００２９】
この場合、図示しない下部蝶番を支点にして、パチンコ機を固定枠の外側から中心側に向けて（図１３中Ｋ方向に）移動させていくと、上部蝶番７０の第１固定具７１が移動する。この第１固定具７１が図中Ｋ方向に移動すると、支軸７３がロック部材７５の側壁面７５ａに当接し、支軸７３が側壁面７５ａに沿って移動する。そして、支軸７３が図中２点鎖線の位置まで移動すると、ロック部材７５がトーションバネ７８の付勢に抗して図中Ｌ方向に回転する。これにより、ロック部材７５の側壁面と軸受け部材７６の側壁面とによって、挿入通路８０が形成される。図１４に示すように、支軸７３は、この挿入通路８０を図中矢印方向に移動し、軸受け部材７６の受け部７６ａに挿入される。
【００３０】
すると、図１５に示すように、ロック部材７５がトーションバネ７８の付勢を受けて、図中Ｍ方向に回転する。そして、初期位置まで回転すると、ストッパ面７５ｂが軸受け部材７６の側壁面に当接して、ロック部材７５が初期位置に保持される。これにより、支軸７３が軸受け部材７６の受け部７６ａと、ロック部材７５とによって軸支される。この場合、パチンコ機は重量があるので、作業者はその重量を利用してパチンコ機を手前側に引き込むだけで容易にパチンコ機を固定枠に組み付けることができる。なお、パチンコ機を固定枠から取り外す方法は、本実施形態と同様であるから、ここでは省略する。
【図面の簡単な説明】
【００３１】
【図１】本発明のパチンコ機の外観を示す斜視図である。
【図２】上部扉を開けたパチンコ機を示す斜視図である。
【図３】固定枠を示す斜視図である。
【図４】上部蝶番の構成を示す斜視図である。
【図５】上部蝶番の第２固定具の構成を分解して示す斜視図である。
【図６】下部蝶番の構成を示す斜視図である。
【図７】第１固定具を第２固定具に連結する際の正面図である。
【図８】ロック部材が回動した状態を示す正面図である。
【図９】支軸が、軸受け部材の受け部とロック部材とによって軸支された状態を示す正面図である。
【図１０】パチンコ機を固定枠に対して回動させた状態を示す斜視図である。
【図１１】パチンコ機が固定枠に固定されたときの上部蝶番を示す正面図である。
【図１２】第１固定具の支軸が第２固定具の軸受け部材の受け部から外れた状態を示す正面図である。
【図１３】第１固定具を第２固定具に連結させる場合に、固定枠の外側から連結する場合の正面図である。
【図１４】ロック部材が回動した状態を示す正面図である。
【図１５】支軸が、軸受け部材の受け部とロック部材とによって軸支された状態を示す正面図である。
【符号の説明】
【００３２】
２    パチンコ機
３    本体部材
３０    固定枠
３５，７０    上部蝶番
３６，７１    第１固定具
３７，７２    第２固定具
３９，７３    支軸
４０，７７    ベース部材
４１，７６    軸受け部材
４１ａ，７６ａ    受け部
４１ｂ    挿入口
４２，７５    ロック部材
４２ｄ    ストッパ面（ストッパ）
４３，７８    トーションバネ（付勢部材）
５５    下部蝶番
６０，８０    挿入経路
【図１】
2005155215.tif 000003
【図２】
2005155215.tif 000004
【図３】
2005155215.tif 000005
【図４】
2005155215.tif 000006
【図５】
2005155215.tif 000007
【図６】
2005155215.tif 000008
【図７】
2005155215.tif 000009
【図８】
2005155215.tif 000010
【図９】
2005155215.tif 000011
【図１０】
2005155215.tif 000012
【図１１】
2005155215.tif 000013
【図１２】
2005155215.tif 000014
【図１３】
2005155215.tif 000015
【図１４】
2005155215.tif 000016
【図１５】
2005155215.tif 000017